(57)【要約】【課題】一つの実施形態は、装着が容易で、且つ、低コスト化が図られた生体情報収集装置と生体情報収集装置用装着部材を提供することを目的とする。【解決手段】一つの実施形態によれば、生体情報収集装置用装着部材は、第１の主表面と前記第１の主表面に対向し少なくとも２つの電極が形成された第２の主表面を有する生体センサ筐体を収納して利用者の皮膚に固定する。前記生体情報収集装置用装着部材は、前記生体センサ筐体の第１の主表面側を覆う第１の被覆部材を有する。前記第１の被覆部材から延在する延在部が第１の折り曲げ部で折り曲げられ、前記第１の被覆部材と接合されて前記生体センサ筐体の第２の主表面側を覆う第２の被覆部材を有する。前記第２の被覆部材は、前記生体センサ筐体が収納された状態において前記生体センサ筐体の第２の主表面に形成された前記電極の少なくとも一つの電極の表面を覆うゲル状の導電性粘着剤層を有する。【選択図】図３
2016131808.tif 000002
【特許請求の範囲】
【請求項１】
第１の主表面と、前記第１の主表面に対向し少なくとも２つの電極が形成された第２の主表面を有する生体センサ筐体を収納して利用者の皮膚に固定する為の生体情報収集装置用装着部材であって、前記生体情報収集装置用装着部材は、  
前記生体センサ筐体の第１の主表面側を覆う第１の被覆部材と、
前記第１の被覆部材から延在し、前記生体センサ筐体の第２の主表面側を覆う第２の被覆部材とを有し、
前記第２の被覆部材は、前記電極の少なくとも一つの表面を覆うゲル状の導電性粘着剤層を有することを特徴とする生体情報収集装置用装着部材。
【請求項２】
前記第１の被覆部材は第１の接合部を有し、前記第２の被覆部材は第２の接合部を有し、前記第１の被覆部材と前記第２の被覆部材は前記第１および第２の接合部において接合されることを特徴とする請求項１に記載の生体情報収集装置用装着部材。
【請求項３】
前記第２の被覆部材は、前記生体センサ筐体の第２の主表面に形成された電極の数に等しい個数のゲル状の導電性粘着剤層を有することを特徴とする請求項１または２に記載の生体情報収集装置用装着部材。
【請求項４】
前記第１の接合部には凹部が設けられ、前記第２の接合部には前記第１の接合部と接合された時に前記凹部に当接する凸部が設けられていることを特徴とする請求項２から３のいずれか一項に記載の生体情報収集装置用装着部材。
【請求項５】
前記第１の被覆部材には前記生体センサ筐体を収納する筐体収納部が設けられ、前記第２の被覆部材には、前記第１の被覆部材と接合された時に前記生体センサ筐体の第２の主表面の外周と前記筐体収納部の内周との間に位置する様に形成された凸部が設けられることを特徴とする請求項１から３のいずれか一項に記載の生体情報収集装置用装着部材。
【請求項６】
前記第１の被覆部材から延在し、前記生体センサ筐体の第２の主表面側を覆う第３の被覆部材を有し、前記第３の被覆部材は、前記生体センサ筐体が収納された状態において前記電極の少なくとも一つの表面を覆うゲル状の導電性粘着剤層を有することを特徴とする請求項１に記載の生体情報収集装置用装着部材。
【請求項７】
前記第２の被覆部材は、前記電極の少なくとも一つを覆う第１の被覆部と前記生体センサ筐体の一辺に沿って延在する第２の被覆部とを有し、前記第３の被覆部材は、残りの電極の少なくとも一つを覆う第３の被覆部と前記第２の被覆部に対向し前記生体センサ筐体の一辺に沿って延在する第４の被覆部とを有することを特徴とする請求項６に記載の生体情報収集装置用装着部材。
【請求項８】
前記第１の被覆部材と前記第２の被覆部材は折り曲げ部で折り曲げられ、前記折り曲げ部には切欠き部が設けられていることを特徴とする請求項１から７のいずれか一項に記載の生体情報収集装置用装着部材。
【請求項９】
第１の主表面と、前記第１の主表面に対向し少なくとも２つの電極が形成された第２の主表面を有し、利用者の生体情報を収集する生体センサが組み込まれた生体センサ筐体と、
前記生体センサ筐体を利用者の皮膚に固定する為の生体情報収集装置用装着部材と、
を備えた生体情報収集装置において、
前記生体情報収集装置用装着部材は、
前記生体センサ筐体の第１の主表面側を覆う第１の被覆部材と、
前記第１の被覆部材から延在し、前記生体センサ筐体の第２の主表面側を覆う第２の被覆部材とを有し、
前記第２の被覆部材は、前記生体センサ筐体が収納された状態において前記電極の少なくとも一つの表面を覆うゲル状の導電性粘着剤層を有することを特徴とする生体情報収集装置。
【発明の詳細な説明】
【技術分野】
【０００１】
本実施形態は、生体情報収集装置と生体情報収集装置用装着部材に関する。
【背景技術】
【０００２】
従来、種々の生体情報を収集する生体情報収集装置、及び、その生体情報収集装置をゲル状の粘着剤が塗布された粘着テープで覆って利用者の皮膚に固定する技術が開示されている。
【０００３】
生体情報収集装置は、利用者が装着している間は安定して皮膚に固定されていることが望ましい。また、入浴中に装着される可能性も有る為、防水性の配慮も必要である。利用者の皮膚に装着されることから、生体情報収集装置用装着部材を使用の都度取り替えて使用されることが想定される。この為、生体情報収集装置用装着部材は、生体情報収集装置の装着が容易で低コストであることが望まれる。
【先行技術文献】
【特許文献】
【０００４】
【特許文献１】特開２０１３−９９６５１号公報
【発明の概要】
【発明が解決しようとする課題】
【０００５】
一つの実施形態は、装着が容易で、且つ、低コスト化が図られた生体情報収集装置と生体情報収集装置用装着部材を提供することを目的とする。
【課題を解決するための手段】
【０００６】
一つの実施形態によれば、生体情報収集装置用装着部材は、第１の主表面と前記第１の主表面に対向し少なくとも２つの電極が形成された第２の主表面を有する生体センサ筐体を収納して利用者の皮膚に固定する。生体情報収集装置用装着部材は、前記生体センサ筐体の第１の主表面側を覆う第１の被覆部材を有する。前記第１の被覆部材から延在する延在部が第１の折り曲げ部で折り曲げられ、前記第１の被覆部材と接合されて前記生体センサ筐体の第２の主表面側を覆う第２の被覆部材を有する。前記第２の被覆部材は、前記生体センサ筐体が収納された状態において前記電極の少なくとも一つの表面を覆うゲル状の導電性粘着剤層を有する。
【図面の簡単な説明】
【０００７】
【図１】図１は、生体情報収集装置の一つの実施形態を示す図である。
【図２】図２は、生体情報収集装置の生体センサ筐体の一つの実施形態を示す図である。
【図３】図３は、生体情報収集装置の生体センサ筐体を覆う生体情報収集装置用装着部材の一つの実施形態を示す図である。
【図４】図４は、図３に示す実施形態の生体情報収集装置用装着部材の構成を説明する為の図である。
【図５】図５は、生体情報収集装置の他の一つの実施形態を示す図である。
【図６】図６は、生体情報収集装置の生体センサ筐体の他の一つの実施形態を示す図である。
【図７】図７は、生体情報収集装置の生体センサ筐体を覆う生体情報収集装置用装着部材の他の一つの実施形態を示す図である。
【図８】図８は、図７に示す実施形態の生体情報収集装置用装着部材の構成を説明する為の図である。
【図９】図９は、生体情報収集装置用装着部材の更に他の一つの実施形態を示す図である。
【図１０】図１０は、生体情報収集装置用装着部材による効果を説明する為の図である。
【図１１】図１１は、生体情報収集装置用装着部材の更に他の一つの実施形態を示す図である。
【図１２】図１２は、図１１に示す実施形態の生体情報収集装置用装着部材の効果を説明する為の図である。
【図１３】図１３は、生体情報収集装置用装着部材の更に他の一つの実施形態を示す図である。
【図１４】図１４は、図１３に示す実施形態の生体情報収集装置用装着部材の効果を説明する為の図である。
【発明を実施するための形態】
【０００８】
以下に添付図面を参照して、実施形態にかかる生体情報収集装置と生体情報収集装置用装着部材を詳細に説明する。なお、これらの実施形態により本発明が限定されるものではない。
【０００９】
（第１の実施形態）
図１は、第１の実施形態の生体情報収集装置の構成を示す図である。生体情報収集装置１００は、例えば、第１の電極３、第２の電極４を備える。第１の電極３と第２の電極４は、例えば、金属製の電極であり、利用者の皮膚に接触することにより心電信号を検知するセンサとして用いられる。
【００１０】
第１の電極３、第２の電極４からの信号が、信号処理部６に供給される。信号処理部６の出力信号は、送受信部７に供給され、無線信号として送出される。送受信部７から送出された信号は、例えば、受信機能を有するスマートフォン（図示せず）やタブレット端末（図示せず）で受信される。生体情報収集装置１００は、例えば、充電式のバッテリー８を備えている。バッテリー８により信号処理部６、及び、送受信部７がバイアスされる。バッテリー８の電圧を電圧変換して、信号処理部６、及び、送受信部７に供給する電圧変換回路を備えるが、省略している。第１の電極３、第２の電極４、信号処理部６、送受信部７、及びバッテリー８が生体センサ筐体１に一体的に組み込まれ、生体情報収集装置１００が構成される。
【００１１】
（第２の実施形態）
図２は、生体情報収集装置１００を構成する生体センサ筐体１の一つの実施形態を示す図である。図２（Ａ）は、生体センサ筐体１を、側面から示す図であり、図２（Ｂ）は、生体センサ筐体１を、下面側から示す図である。
【００１２】
生体センサ筐体１は、上面側に第１の主表面９を有し、第１の主表面９に対向する第２の主表面１０、すなわち利用者の皮膚に固定される下面側に、第１の電極３と第２の電極４が配備される。第１の電極３と第２の電極４は、その表面が生体センサ筐体１の第２の主表面１０の表面に露出するように設けられる。生体センサ筐体１は、例えば、ＡＢＳ樹脂で構成される。
【００１３】
（第３の実施形態）
図３は生体情報収集装置１００の図２に示す生体センサ筐体１を覆う生体情報収集装置用装着部材２００の一つの実施形態を示す図である。図３（Ａ）は、生体情報収集装置１００を断面的に示す図である。図３（Ｂ）は、生体情報収集装置１００の下面、すなわち、人体の皮膚に装着される側から見た概略図である。図３（Ａ）は、図３（Ｂ）に示す一点鎖線Ｉ―Ｉにおける断面図に相当する。図３（Ｃ）は、図３（Ｂ）に示す一点鎖線ＩＩ―ＩＩにおける断面図に相当する。
【００１４】
生体情報収集装置用装着部材２００は、生体センサ筐体１の第１の主表面９側を覆う第１の被覆部材２０６を有する。第１の被覆部材２０６は、生体センサ筐体１を収納する筐体収納部３００を有する。図３（Ａ）は、筐体収納部３００に生体センサ筐体１が収納された状態を示す。便宜的に、第１の被覆部材２０６と生体センサ筐体１の表面との間に隙間を設けて示しているが、第１の被覆部材２０６と生体センサ筐体１の表面は密着する構成であっても良い。
【００１５】
第１の被覆部材２０６は、外周方向に延在する接合部（２０１、２０２、２０４、２０５）を有する。第２の被覆部材２３０は、第１の被覆部材２０６の接合部２０２の折り曲げ部２３５で折り曲げられて生体センサ筐体１の第２の主表面１０側に延在し、接合部２０１で第１の被覆部材２０６と接合される。第１の被覆部材２０６と第２の被覆部材２３０の接合は、絶縁性粘着剤層２４０によって行われる。
【００１６】
第２の被覆部材２３０は、生体センサ筐体１の第２の主表面１０側に形成された電極（３、４）に対応した位置に形成された開口（２３３、２３４）を有する。第１の開口２３３は、例えば、図２（Ｂ）に示す第１の電極３に対応した位置に設けられる。第２の開口２３４は、同様に、図２（Ｂ）に示す第２の電極４に対応した位置に設けられる。第１の開口２３３は、ゲル状の導電性粘着剤層２１０によって充填される。ゲル状の導電性粘着剤層２１０は、第２の被覆部材２３０が第１の接合部材２０６と接合された状態において第１の電極３の表面を覆う。利用者の皮膚に装着された時に、第１の電極３は、第１のゲル状の導電性粘着剤層２１０を介して利用者の皮膚に電極的に繋がる。同様に、第２の開口２３４は、第２のゲル状の導電性粘着剤層２１１によって充填される。第２のゲル状の導電性粘着剤層２１１は、第２の被覆部材２３０が第１の被覆部材２０６と接合された状態において第２の電極４の表面を覆う。利用者の皮膚に装着された時に、第２の電極４は、第２のゲル状の導電性粘着剤層２１１を介して利用者の皮膚に電極的に繋がる。
【００１７】
第２の被覆部材２３０と生体センサ筐体１の第２の主表面１０側は、第２の被覆部材２３０に形成された絶縁性粘着剤層２４０によって結合される。第２の被覆部材２３０の下面側、すなわち、利用者に装着される側には絶縁性粘着剤層２２０が形成される。生体センサ筐体１が収納された状態で、生体情報収集装置１００は絶縁性粘着剤層２２０により利用者の皮膚に固定される。
【００１８】
本実施形態によれば、第１の被覆部材２０６と第２の被覆部材２３０を有する生体情報収集装置用装着部材２００に生体センサ筐体１が収納されて利用者の皮膚に装着される。第１の被覆部材２０６と第２の被覆部材２３０により生体センサ筐体１を覆う構成とすることで、生体センサ筐体１を保護する構造を提供することが出来る。生体センサ筐体１の第２の主表面１０側に設けられた電極（３、４）は、第２の被覆部材２３０に設けられたゲル状の導電性粘着剤層（２１０、２１１）によって利用者の皮膚に電気的に繋がる。ゲル状の導電性粘着剤層（２１０、２１１）は、絶縁性粘着剤層（２２０、２４０）に比べてコスト的に高くなる。従って、ゲル状の導電性粘着剤層（２１０、２１１）を、生体センサ筐体１に形成された電極（３、４）を覆う位置に限定して設けることにより、コストを抑えることが出来る。第２の被覆部材２３０に形成された開口（２３３、２３４）はゲル状の導電性粘着剤層（２１０、２１１）によって充填され、また、電極（３、４）の表面は、ゲル状の導電性粘着剤層（２１０、２１１）によって覆われる為、例えば、利用者が入浴中に装着した場合でも、生体センサ筐体１に形成された電極（３、４）が風呂水に触れる事態を回避することが出来る。ゲル状の導電性粘着剤層（２１０、２１１）の間には、絶縁性粘着剤層２４０が設けられる為、第１の電極３と第２の電極４の間の絶縁性を維持することが出来る。
【００１９】
図４は、既述した第３の実施形態の生体情報収集装置用装着部材２００の構成を説明する為の図である。既述した実施形態に対応する構成要素には同一の符号を付している。図４（Ａ）は、生体情報収集装置用装着部材２００を下面側、すなわち、利用者の皮膚に装着される側から見た図である。図４（Ｂ）は、図４（Ａ）の一点鎖線ＩＩＩ−ＩＩＩにおける断面図を示す。図４（Ｂ）は、生体センサ筐体１が第１の被覆部材２０６の筐体収納部３００に収納された状態を点線で示す。
【００２０】
第２の被覆部材２３０は、第１の被覆部材２０６から延在し、図４（Ｂ）の点線の円Ａで示す位置で折り曲げられて、生体センサ筐体１の第２の主表面１０側を覆うと共に、接合部（２０１、２０２）において、絶縁性粘着剤層２４０によって第１の被覆部材２０６側に接合される。第１の被覆部材２０６の接合部（２０１、２０２）に接合する箇所が第２の被覆部材２３０側の接合部を構成する。図４（Ｂ）の点線の円Ａで示す箇所は、図３（Ａ）の折り曲げ部２３５に相当し、切欠き部４００を有する。切欠き部４００を設けることにより、第２の被覆部材２３０の折り曲げを容易に行うことが出来る。生体情報収集装置用装着部材２００の材料としては、例えば、発泡ウレタンを用いる。切欠き部４００は、例えば、生体情報収集装置用装着部材２００の成型時に形成することが出来る。また、発泡ウレタン等、定型性が維持できる材質の材料を用いることにより、生体センサ筐体１に形成された電極（３、４）と、第２の被覆部材２３０に形成されたゲル状の導電性粘着剤層（２１０、２１１）の位置合わせを精度良く行うことが出来る。
【００２１】
例えば、第１の被覆部材２０６に設けられた筐体収納部３００に生体センサ筐体１を収納した状態で第２の被覆部材２３０を生体センサ筐体１の第２の主表面１０側に折り曲げて、接合部（２０１、２０２）で第１の被覆部材２０６と第２の被覆部材２３０を接合させる。第２の被覆部材２３０は、結合部（２０１、２０２）の接合面２０７において、絶縁性粘着剤層２４０によって第１の被覆部材２０６と接合される。また、第１の被覆部材２０６と第２の被覆部材２３０が接合した状態で第１の被覆部材２０６と第２の被覆部材２３０間に圧力を加えることで、第２の被覆部材２３０に設けられたゲル状の導電性粘着剤層（２１０、２１１）が生体センサ筐体１に形成された電極（３、４）と接触し、その表面を覆う。同時に、生体センサ筐体１の第２の主表面１０側は、絶縁性粘着剤層２４０によって第２の被覆部材２３０に固定される。すなわち、第２の被覆部材２３０を折り曲げて生体センサ筐体１の第２の主表面１０側に接触させ、加圧することで容易に生体情報収集装置１００を利用者の皮膚に装着可能な状態にすることが出来る。
【００２２】
（第４の実施形態）
図５は、生体情報収集装置１００の他の一つの実施形態を示す図である。既述の実施形態に対応する構成要素には同一の符号を付している。本実施形態の生体情報収集装置１００は、例えば、図１の実施形態の生体情報収集装置１００に加えて、脈波センサ２と体温センサ５を備える。脈波センサ２は、例えば、発光素子（図示せず）と受光素子（図示せず）を有しており、光電脈波方式を採用している。体温センサ５は、例えば、金属電極で構成され、利用者の皮膚に接触して体表温を検知する。赤外線センサを用いて構成することも可能である。
【００２３】
脈波センサ２、及び、体温センサ５からの信号は、信号処理部６に供給される。バッテリー８により、脈波センサ２はバイアスされる。脈波センサ２と体温センサ５は、第１の電極３、第２の電極４、信号処理部６、送受信部７、及びバッテリー８と共に、生体センサ筐体１に一体的に組み込まれ、生体情報収集装置１００が構成される。
【００２４】
（第５の実施形態）
図６は、既述した第４の実施形態の生体情報収集装置１００を構成する生体センサ筐体１の一つの実施形態を示す図である。図６（Ａ）は、生体センサ筐体１を、側面から示す図であり、図６（Ｂ）は、生体センサ筐体１を、第２の主表面１０側から示す図である。
【００２５】
生体センサ筐体１は、第２の主表面１０側、すなわち、利用者の皮膚に固定される第１の主平面側に、突出部２０を有する。突出部２０には、例えば、脈波センサ２と体温センサ５が配備される。突出部２０を利用者の皮膚に密着させることで、生体情報の収集が容易になる。突出部２０の両側には、第１の電極３と第２の電極４が配備される。第１の電極３と第２の電極４は、その表面が生体センサ筐体１の第２の主表面１０の表面に露出するように設けられる。
【００２６】
（第６の実施形態）
図７は、既述した図６に示す生体情報収集装置１００の生体センサ筐体１を覆う生体情報収集装置用装着部材２００の一つの実施形態を示す図である。図７（Ａ）は、生体情報収集装置１００を断面的に示す図である。図７（Ｂ）は、生体情報収集装置１００の下面、すなわち、人体の皮膚に装着される側から見た図である。図７（Ａ）は、図７（Ｂ）に示す一点鎖線ＩＶ―ＩＶにおける断面図である。図７（Ｃ）は、図７（Ｂ）に示す一点鎖線Ｖ―Ｖにおける断面図である。
【００２７】
生体情報収集装置用装着部材２００は、生体センサ筐体１の第１の主表面９側を覆う第１の被覆部材２０６を有する。第１の被覆部材２０６は、生体センサ筐体１を収納する筐体収納部３００を有する。図７（Ａ）は、筐体収納部３００に生体センサ筐体１が収納された状態を示す。便宜的に、第１の被覆部材２０６の内側表面と生体センサ筐体１の表面との間に隙間を設けて示しているが、第１の被覆部材２０６と生体センサ筐体１の表面は密着する構成であっても良い。
【００２８】
第１の被覆部材２０６は、外周方向に延在する接合部（２０２、２０３、２０４、２０５）を有する。第２の被覆部材２３０は、第１の被覆部材２０６の接合部２０２の折り曲げ部２３５で折り曲げられて生体センサ筐体１の第２の主表面１０側に延在し、生体センサ筐体１の第２の主表面１０側を覆う。第２の被覆部材２３０は、絶縁性粘着剤層２４０により、第１の被覆部材２０６の接合部２０２と接合されると共に、生体センサ筐体１の第２の主表面１０と接合される。第２の被覆部材２３０は、生体センサ筐体１の第２の主表面１０側に形成された第２の電極３を覆う。
【００２９】
本実施形態は、第３の被覆部材２３１を有する。第３の被覆部材２３１は、第１の被覆部材２０６の第２の折り曲げ部２３６で折り曲げられて生体センサ筐体１の第２の主表面１０側に延在し、生体センサ筐体１の第２の主表面１０側を覆う。第３の被覆部材２３１は、絶縁性粘着剤層２４０により、第１の被覆部材２０６の接合部２０３と接合されると共に、生体センサ筐体１の第２の主表面１０と接合される。第３の被覆部材２３１は、生体センサ筐体１の第２の主表面１０側に形成された第２の電極４を覆う。
【００３０】
第２の被覆部材２３０は、生体センサ筐体１の第２の主表面１０側に形成された第１の電極３に対応した位置に形成された第１の開口２３３を有する。第３の被覆部材２３１は、生体センサ筐体１の第２の主表面１０側に形成された第２の電極４に対応した位置に形成された第２の開口２３４を有する。第２の被覆部材２３０と第３の被覆部材２３１は、折り曲げられて生体センサ筐体１の第２の主表面１０側を覆う状態の時に、生体センサ筐体１に形成された突起部２０を露出させる寸法に調整される。第１の開口２３３は、ゲル状の導電性粘着剤層２１０によって充填される。ゲル状の導電性粘着剤層２１０は、第２の被覆部材２３０が第１の被覆部材２０６と接合された状態において第１の電極３の表面を覆う。第２の開口２３４は、ゲル状の導電性粘着剤層２１１によって充填される。ゲル状の導電性粘着剤層２１１は、第３の被覆部材２３１が第１の被覆部材２０６と接合された状態において第２の電極４の表面を覆う。利用者の皮膚に装着された時に、第１の電極３は、ゲル状の導電性粘着剤層２１０を介して利用者の皮膚に電気的に繋がり、第２の電極４は、ゲル状の導電性粘着剤層２１１を介して利用者の皮膚に電気的に繋がる。
【００３１】
第２の被覆部材２３０と第３の被覆部材２３１の下面側、すなわち、利用者に装着される側には絶縁性粘着剤層２２０が形成される。生体センサ筐体１が第１の被覆部材２０６、第２の被覆部材２３０、及び第３の被覆部材２３１で被覆され、筐体収納部３００に収納された状態で、生体情報収集装置１００は絶縁性粘着剤層２２０により、利用者の皮膚に固定される。
【００３２】
本実施形態によれば、第１の被覆部材２０６の外周に設けられた接合部（２０２、２０４、２０５）で第１の被覆部材２０６に接合された第２の被覆部材２３０と、第１の被覆部材２０６の外周に設けられた接合部（２０３、２０４、２０５）で第１の被覆部材２０６に接合された第３の被覆部材２３１とを有する生体情報収集装置用装着部材２００に生体センサ筐体１が収納されて利用者の皮膚に装着される。コスト的に高くなるゲル状の導電性粘着剤層（２１０、２１１）を、生体センサ筐体１に形成された電極（３、４）を覆う位置に限定して設けることにより、コストを抑えることが出来る。生体センサ筐体１が突起部２０を有する場合に、第２の被覆部材２３０と第３の被覆部材２３１の寸法を調整して突起部２０を露出させる構成とすることにより、突起部２０が備える脈波センサ２と体温センサ５を利用者の皮膚に密着させることが出来る。第２の被覆部材２３０に形成された開口２３３はゲル状の導電性粘着剤層２１０によって充填され、電極３の表面は、ゲル状の導電性粘着剤層２１０によって覆われる。同様に、第３の被覆部材２３１に形成された開口２３４はゲル状の導電性粘着剤層２１１によって充填され、電極４の表面は、ゲル状の導電性粘着剤層２１１によって覆われる。従って、利用者が入浴中に装着した場合でも、生体センサ筐体１に形成された電極（３、４）が風呂水に触れる事態を回避することが出来る。
【００３３】
図８は、既述した第６の実施形態の生体情報収集装置用装着部材２００の構成を説明する為の図である。既述の実施形態に対応する構成要素には同一の符号を付している。図８（Ａ）は、生体情報収集装置用装着部材２００を下面側、すなわち、利用者の皮膚に装着される側から見た図である。図８（Ｂ）は、図８（Ａ）の一点鎖線ＶＩ−ＶＩにおける断面図を示す。第１の被覆部材２０６は、生体センサ筐体１を収納する筐体収納部３００を有する。図８（Ｂ）において、生体センサ筐体１が筐体収納部３００に収納された状態を点線で示す。
【００３４】
第２の被覆部材２３０は、第１の被覆部材２０６の左側の接合部２０２から延在する。第２の被覆部材２３０は、図８（Ｂ）の点線の円Ａで示す位置で折り曲げられて、生体センサ筐体１の第２の主表面１０側を覆うと共に、接合部２０２において、絶縁性粘着剤層２４０によって第１の被覆部材２０６に接合される。図８（Ｂ）の点線の円Ａで示す箇所には、切欠き部４００が設けられる。切欠き部４００を設けることにより、第２の被覆部材２３０の折り曲げを容易に行うことが出来る。
【００３５】
第３の被覆部材２３１は、第１の被覆部材２０６の右側の接合部２０３、すなわち、筐体収納部３００を中心にして、左側の接合部２０２に対して反対側に位置する右側の接合部２０３から延在する。第３の被覆部材２３１は、図８（Ｂ）の点線の円Ｂで示す位置で折り曲げられて、生体センサ筐体１の第２の主表面１０側を覆うと共に、接合部２０３において、絶縁性粘着剤層２４０によって第１の被覆部材２０６に接合される。図８（Ｂ）の点線の円Ｂで示す箇所には、切欠き部４０１が設けられる。切欠き部４０１を設けることにより、第３の被覆部材２３１の折り曲げを容易に行うことが出来る。第２の被覆部材２３０と第３の被覆部材２３１は、第１の被覆部材２０６に結合されて生体センサ筐体１の第２の主表面１０側を覆う状態において、突起部２０が露出する寸法に調整される。
【００３６】
例えば、第１の被覆部材２０６に設けられた筐体収納部３００に生体センサ筐体１を収納した状態で図８（Ｂ）の点線の円Ａで示す位置で第２の被覆部材２３０を生体センサ筐体１の第２の主表面１０側に折り曲げて、接合部２０２で第１の被覆部材２０６と第２の被覆部材２３０を接合させる。図８（Ｂ）の点線の円Ａで示す位置は、図７（Ａ）に示す折り曲げ部２３５に相当する。第２の被覆部材２３０に設けられた絶縁性粘着剤層２４０によって、結合部２０２の下面側、すなわち接合面２０７において第１の被覆部材２０６と第２の被覆部材２３０が接合される。また、この状態で第１の被覆部材２０６と第２の被覆部材２３０間に圧力を加えることで、第２の被覆部材２３０に設けられたゲル状の導電性粘着剤層２１０が生体センサ筐体１に形成された電極３と接触し、その表面を覆う。同時に、生体センサ筐体１の第２の主表面１０側は、絶縁性粘着剤層２４０によって第２の被覆部材２３０に固定される。
【００３７】
同様に、第１の被覆部材２０６に設けられた筐体収納部３００に生体センサ筐体１を収納した状態で図８（Ｂ）の点線の円Ｂで示す位置で第３の被覆部材２３１を生体センサ筐体１の第２の主表面１０側に折り曲げて、接合部２０３で第１の被覆部材２０６と第３の被覆部材２３１を接合させる。図８（Ｂ）の点線の円Ｂで示す位置は、図７（Ａ）に示す折り曲げ部２３６に相当する。第３の被覆部材２３１に設けられた絶縁性粘着剤層２４０によって、結合部２０３の下面側、すなわち接合面２０７において第１の被覆部材２０６と第３の被覆部材２３１が接合される。また、この状態で第１の被覆部材２０６と第３の被覆部材２３１間に圧力を加えることで、第３の被覆部材２３１に設けられたゲル状の導電性粘着剤層２１１が生体センサ筐体１に形成された電極４と接触し、その表面を覆う。同時に、生体センサ筐体１の第２の主表面１０側は、絶縁性粘着剤層２４０によって第３の被覆部材２３１に固定される。
【００３８】
本実施形態によれば、第２の被覆部材２３０と第３の被覆部材２３１を折り曲げて生体センサ筐体１の第２の主表面１０側に接触させ、加圧することで容易に生体情報収集装置１００を装着可能な状態にすることが出来る。また、第２の被覆部材２３０と第３の被覆部材２３１は、生体センサ筐体１の第２の主表面１０側全体を覆う構成ではなく分割された短い寸法を有する為、ゲル状の導電性粘着剤層（２１０、２１１）と夫々対応する電極（３、４）との位置合わせは容易である。
【００３９】
（第７の実施形態）
図９は、生体情報収集装置用装着部材２００の更に他の一つの実施形態を示す図である。既述の実施形態に対応する構成要素には同一の符号を付している。図９（Ａ）は、生体情報収集装置用装着部材２００を下面側、すなわち、利用者の皮膚に装着される側から見た図である。図９（Ｂ）は、図９（Ａ）の一点鎖線ＶＩＩ−ＶＩＩにおける断面図を示す。第１の被覆部材２０６は、生体センサ筐体１を収納する筐体収納部３００を有する。図９（Ｂ）において、生体センサ筐体１が筐体収納部３００に収納された状態を点線で示す。
【００４０】
第２の被覆部材２３０は、第１の被覆部材２０６から延在し、図９（Ｂ）の点線の円Ａで示す位置で折り曲げられて、生体センサ筐体１の第２の主表面１０側を覆うと共に、接合部２０１において、第２の被覆部材２３０の下面側外周部に形成された絶縁性粘着剤層２４１によって第１の被覆部材２０６に接合される。第２の被覆部材２３０には凸部４１１が設けられる。凸部４１１は、例えば、第２の被覆部材２３０の下面側、すなわち、第１の被覆部材２０６と接合される側の外周に連続して設けられる。第１の被覆部材２０６の接合部２０１の接合面２０７は、第２の被覆部材２３０の凸部４１１に対応した位置に凹部４２１を有する。すなわち、凸部４１１と凹部４２１は第２の被覆部材２３０が点線の円Ａで示す折り曲げ部で折り曲げられ、第１の被覆部材２０６と接合されて生体センサ筐体１を覆う状態になった時に、互いに当接する様に設けられる。第１の被覆部材２０６側の接合部と接合する箇所が第２の被覆部材２３０側の接合部を構成する。
【００４１】
図１０は、本実施形態の生体情報収集装置用装着部材２００を用いる効果を説明する為の図である。第２の被覆部材２３０が図９（Ｂ）の点線の円Ａで示す折り曲げ部で折り曲げられ、第１の被覆部材２０６と接合して生体センサ筐体１を覆う状態になった時の図９（Ｂ）の点線の円Ｄにおける状態を模式的に示す。第１の被覆部材２０６と第２の被覆部材２３０が接合した状態で、凸部４１１と凹部４２１が当接する。便宜上、凸部４１１と凹部４２１の間に隙間を設けて示している。第１の被覆部材２０６の接合部２０１に設けられた凹部４２１と、第２の被覆部材２３０に設けられた凸部４１１が当接して結合されることにより、例えば、図１０に矢印で示す横方向からの水の浸入を防ぐ効果を向上させることが出来る。これにより、生体情報収集装置用装着部材２００に収納された生体センサ筐体１への水の浸入を防ぐ効果を高めることが出来る為、生体情報収集装置１００の防水性が向上する。
【００４２】
本実施形態においては、第１の被覆部材２０６に凹部４２１を設け、第２の被覆部材２３０に凸部４１１を設けて、生体センサ筐体１を収納した時に凹部４２１と凸部４１１を結合させる構成とする。これにより、生体情報収集装置１００を装着した際の防水性を向上させることが出来る。
【００４３】
（第８の実施形態）
図１１は、生体情報収集装置用装着部材２００の更に他の一つの実施形態を示す図である。既述した実施形態に対応する構成要素には同一の符号を付している。図１１（Ａ）は、生体情報収集装置用装着部材２００を下側、すなわち、利用者の皮膚に装着される側から見た図である。図１１（Ｂ）は、図１１（Ａ）の一点鎖線ＶＩＩＩ−ＶＩＩＩにおける断面図を示す。第１の被覆部材２０６は、生体センサ筐体１を収納する筐体収納部３００を有する。図１１（Ｂ）において、生体センサ筐体１が収納された状態を点線で示す。
【００４４】
本実施形態においては、第２の被覆部材２３０の下面側、すなわち、第１の被覆部材２０６と接合される側の外周部に凸部４３０を備える。第２の被覆部材２３０が図１１（Ｂ）の点線の円Ａで示す折り曲げ部で折り曲げられて生体センサ筐体１を覆う状態になった時に、凸部４３０が生体センサ筐体１の第２の主平面１０側の外周と第１の被覆部材２０６の筐体収納部３００の内周との間に位置する様に、すなわち、図１１（Ｂ）において点線の円Ｃで示す位置に配置されるように、凸部４３０の形成位置は調整される。第２の被覆部材２３０は、折り曲げられた時に、接合部２０１の接合面２０７において凸部４３０の外側の下面側に形成された絶縁性粘着剤層２４１によって第１の被覆部材２０６と接合される。
【００４５】
図１２は、本実施形態の生体情報収集装置用装着部材２００を用いる効果を説明する為の図である。第２の被覆部材２３０が図１１（Ｂ）の点線の円Ａで示す折り曲げ部で折り曲げられ、生体センサ筐体１を覆う状態になった時に凸部４３０が生体センサ筐体１の第２の主表面１０側の外周と第１の被覆部材２０６の筐体収納部３００の下側の内周との間に配置される状態を模式的に示している。凸部４３０が第１の被覆部材２０６の筐体収納部３００の内周に沿って存在することにより、例えば、図１２に矢印で示す横方向からの水の浸入を防ぐ効果を高めることが出来る。すなわち、生体情報収集装置用装着部材２００の防水性を高めることが出来る。また、凸部４３０の形成位置は筐体収納部３００の内周との位置関係で調整出来る為、形成位置の調整が容易である。
【００４６】
（第９の実施形態）
図１３は、生体情報収集装置用装着部材２００の更に他の一つの実施形態を示す図である。既述した実施形態に対応する構成要素には同一の符号を付している。図１３（Ａ）は、生体情報収集装置用装着部材２００を下面側、すなわち、利用者の皮膚に装着される側から見た図である。図１３（Ｂ）は、図１３（Ａ）の一点鎖線ＩＸ−ＩＸにおける断面図を示す。第１の被覆部材２０６は、生体センサ筐体１を収納する筐体収納部３００を有する。図１３（Ｂ）において、生体センサ筐体１が収納された状態を点線で示す。第１の被覆部材２０６は、第１の接合部２０７１と第２の接合部２０７２を有する。
【００４７】
生体情報収集装置用装着部材２００は、第２の被覆部材２３０を有する。第２の被覆部材２３０は、第１の被覆部２３０１を有する。第１の被覆部２３０１は第２の被覆部材２３０が図１３（Ｂ）に点線の円Ｂで示す折り曲げ部で折り曲げられて生体センサ筐体１の第２の主表面１０側を覆う状態になった時に、生体センサ筐体１の第２の主表面１０に形成された電極３を覆う。第２の被覆部材２３０は、第２の被覆部２３０２を有する。第２の被覆部２３０２は、図１３（Ａ）において下側に示す第１の被覆部材２０６の接合部２０７２で第１の被覆部材２０６と結合される。第２の被覆部２３０２は、第１の被覆部材２０６の接合部２０７２の端部、すなわち、第３の被覆部材２３１の折り曲げ部まで達する寸法を有する。
【００４８】
生体情報収集装置用装着部材２００は、第３の被覆部材２３１を有する。第３の被覆部材２３１は、第３の被覆部２３０３を有する。第３の被覆部２３０３は第３の被覆部材２３１が図１３（Ｂ）に点線の円Ｂで示す折り曲げ部で折り曲げられて生体センサ筐体１の第２の主表面１０側を覆う状態になった時に、生体センサ筐体１の第２の主表面１０に形成された電極４を覆う。第３の被覆部材２３１は、第４の被覆部２３０４を有する。第４の被覆部２３０４は、図１３（Ａ）において上側に示す第１の被覆部材２０６の接合部２０７１において第１の被覆部材２０６と接合される。第４の被覆部２３０４は、第１の被覆部材２０６の接合部２０７１の端部、すなわち、第２の被覆部材２３０の折り曲げ部まで達する寸法を有する。
【００４９】
第２の被覆部材２３０の第１の被覆部２３０１は、図１３（Ａ）において上下方向に示す第１の被覆部材２０６の幅に対して、ｗ１だけ幅が狭い。このｗ１は、第３の被覆部材２３１の第４の被覆部２３０４の幅ｗ１に相当する。同様に、第３の被覆部材２３１の第３の被覆部２３０３は、第１の被覆部材２０６に対してｗ２だけ幅が狭い。このｗ２は、第２の被覆部材２３０の第２の被覆部２３０２の幅ｗ２に相当する。第２の被覆部材２３０の第１の被覆部２３０１と第３の被覆部材２３１の第３の被覆部２３０３の幅の調整は、第２の被覆部材２３０と第３の被覆部材２３１が折り曲げられた時に、両者が重なり合わない様にする為である。幅ｗ１と幅ｗ２は同じ寸法にすることが出来る。
【００５０】
図１４は、本実施形態の生体情報収集装置用装着部材２００による効果を説明する為の図である。図１４（Ａ）は、生体情報収集装置用装着部材２００が生体センサ筐体１を収納した状態を正面から見た概略図である。点線で、生体センサ筐体１を示す。図１４（Ｂ）は、生体情報収集装置用装着部材２００が生体センサ筐体１を収納した状態を下面側、すなわち、利用者の皮膚に装着する側から見た概略図である。図１４（Ｃ）は、生体情報収集装置用装着部材２００が生体センサ筐体１を収納した状態を右側面から見た概略図である。
【００５１】
本実施形態によれば、第２の被覆部材２３０の第２の接合部２３０２が第１の被覆部材２０６の接合部２０７２全体に亘って接合する。従って、図１４（Ｂ）において点線の楕円Ｅで示す様に、生体センサ筐体１の突起部２０の下側に位置する部分、すなわち図１４（Ｂ）の下側に点線の楕円Ｅで示す部分も第２の被覆部材２３０で覆われる。同様に、第３の被覆部材２３１の第４の接合部２３０４が第１の被覆部材２０６の接合部２０７１全体に亘って接合する。これにより、図１４（Ｂ）に示す様に、生体センサ筐体１の突起部２０の外周が第２の被覆部材２３０と第３の被覆部材２３１によって取り囲まれる構成となる。この為、図１４（Ａ）に示す様に、生体センサ筐体１を収納した状態で生体情報収集装置用装着部材２００を絶縁性粘着剤層２２０により利用者の皮膚に装着した場合に、生体センサ筐体１の突起部２０の位置に対応する点線Ｄで示す箇所においても、生体センサ筐体１を隙間のない状態で利用者の皮膚に固定することが出来る。これにより、生体情報収集装置１００を装着して入浴した場合の防水効果を高めることが可能である。尚、表示の便宜上、第２の被覆部材２３０と第３の被覆部材２３１の下側表面、すなわち、利用者の皮膚に装着される側に形成される絶縁性粘着剤層２２０の間に隙間を設けているが、第２の被覆部材２３０と第３の被覆部材２３１の下側表面全面に絶縁性粘着剤層２２０を形成することにより、生体センサ筐体１の突起部２０側への水の浸入を防ぐ効果を高めた構成とすることが出来る。
【００５２】
生体情報収集装置用装着部材２００は、不織布等の布製とすることが出来る。不織布に防水加工を施すことにより、防水効果を持たせることが可能である。柔らかい材質とすることにより、生体センサ筐体１を挿入しない状態では生体情報収集装置用装着部材２００の厚みが薄くなるため、生体情報収集装置用装着部材２００をコンパクトに保管することが可能である。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１  生体センサ筐体、２  脈波センサ、３  第１の電極、４  第２の電極、５  体温センサ、６  信号処理部、７  送受信部、８  バッテリー、９  第１の主表面、１０  第２の主表面、２０６  第１の被覆部材、２１０及び２１１  導電性粘着剤層、２２０  絶縁性粘着剤層、２３０  第２の被覆部材、２３１  第３の被覆部材、２４０及び２４１  絶縁性粘着剤層、２３５及び２３６  折り曲げ部、４００及び４０１  切欠き部、４１１  凸部、４２１  凹部、４３０  凸部。
【図１】
2016131808.tif 000003
【図２】
2016131808.tif 000004
【図３】
2016131808.tif 000005
【図４】
2016131808.tif 000006
【図５】
2016131808.tif 000007
【図６】
2016131808.tif 000008
【図７】
2016131808.tif 000009
【図８】
2016131808.tif 000010
【図９】
2016131808.tif 000011
【図１０】
2016131808.tif 000012
【図１１】
2016131808.tif 000013
【図１２】
2016131808.tif 000014
【図１３】
2016131808.tif 000015
【図１４】
2016131808.tif 000016